(57)【要約】  ＲＦＩＤ（Radio Frequency IDentification）タグとＲＦＩＤ通信を実行する一又は複数のプリンタと接続可能なサーバは、プリンタを識別するプリンタ識別情報と、ＲＦＩＤタグを識別するタグ識別情報と、プリンタがＲＦＩＤ通信を実行するための通信パラメータとを関連付けて記憶装置に記録する記録部と、プリンタから、プリンタ識別情報と、プリンタにより読み取られたタグ識別情報とを取得する第１取得部と、第１取得部により取得されたプリンタ識別情報とタグ識別情報とに関連付けられた通信パラメータを特定する特定部と、特定部により特定された通信パラメータをプリンタに送信する第１送信部と、を備える。
2019130631.tif 000002
【特許請求の範囲】
【請求項１】
ＲＦＩＤ（Radio Frequency IDentification）タグとＲＦＩＤ通信を実行する一又は複数のプリンタと接続可能なサーバであって、
前記プリンタを識別するプリンタ識別情報と、ＲＦＩＤタグを識別するタグ識別情報と、前記プリンタがＲＦＩＤ通信を実行するための通信パラメータとを関連付けて記憶装置に記録する記録部と、
前記プリンタから、前記プリンタ識別情報と、前記プリンタにより読み取られたタグ識別情報とを取得する第１取得部と、
前記第１取得部により取得されたプリンタ識別情報とタグ識別情報とに関連付けられた通信パラメータを特定する特定部と、
前記特定部により特定された通信パラメータを前記プリンタに送信する第１送信部と、を備える、
サーバ。
【請求項２】
ＲＦＩＤ（Radio Frequency IDentification）タグとＲＦＩＤ通信を実行する一又は複数のプリンタと接続可能なサーバであって、
前記プリンタを識別するプリンタ識別情報と、複数のＲＦＩＤタグを含む印字媒体を識別する印字媒体識別情報と、前記プリンタがＲＦＩＤ通信を実行するための通信パラメータとを関連付けて記憶装置に記録する記録部と、
前記プリンタからプリンタ識別情報と、前記プリンタにより読み取られたタグ識別情報とを取得する第１取得部と、
前記第１取得部により取得されたタグ識別情報に関連付けられた印字媒体識別情報を特定し、且つ、特定した印字媒体識別情報と、前記第１取得部により取得されたプリンタ識別情報とに関連付けられた通信パラメータを特定する特定部と、
前記特定部により特定された通信パラメータを前記プリンタに送信する第１送信部と、を備える、
サーバ。
【請求項３】
前記記録部は、
前記タグ識別情報と、前記印字媒体識別情報とを関連付けて前記記憶装置に記録し、
前記特定部は、
前記第１取得部により取得されたタグ識別情報と、前記記憶装置に記録されたタグ識別情報とを照合して、前記印字媒体識別情報を特定する、
請求項２に記載のサーバ。
【請求項４】
前記特定部は、
特定した印字媒体識別情報及び前記第１取得部により取得されたプリンタ識別情報と、前記記憶装置に記録された前記印字媒体識別情報及び前記プリンタ識別情報とを照合して、前記通信パラメータを特定する、
請求項３に記載のサーバ。
【請求項５】
前記記録部は、
前記プリンタを使用するユーザの属性に関するユーザ属性情報と、前記プリンタ識別情報と、前記印字媒体識別情報と、前記通信パラメータとを関連付けて前記記憶装置に記録し、
前記第１取得部は、
前記プリンタから、前記プリンタ識別情報、前記タグ識別情報、及び前記ユーザ属性情報を取得し、
前記特定部は、
前記特定した印字媒体識別情報と、前記第１取得部により取得されたプリンタ識別情報及びユーザ属性情報と、に関連付けられた通信パラメータを特定する、
請求項２乃至４のいずれか一項に記載のサーバ。
【請求項６】
前記記録部は、
前記印字媒体識別情報と、前記ＲＦＩＤタグが含まれる印字媒体の属性に関する印字媒体属性情報とを関連付けて前記記憶装置に記録し、
前記特定部は、
前記第１取得部により取得された印字媒体識別情報に関連付けられた印字媒体属性情報を特定し、
前記第１送信部は、
前記特定部により特定された印字媒体属性情報を前記プリンタに送信する、
請求項２乃至５のいずれか一項に記載のサーバ。
【請求項７】
前記印字媒体属性情報は、前記ＲＦＩＤタグが含まれるラベルの種類、前記ＲＦＩＤタグのＩＣチップの種類、前記ＲＦＩＤのインレイの種類、及び前記ＲＦＩＤタグの用途のうち少なくとも一つを含む、
請求項６に記載のサーバ。
【請求項８】
前記記録部は、
前記プリンタ識別情報と、前記印字媒体識別情報と、プリンタに取り付けられた構成に関するオプション構成情報と、前記通信パラメータとを関連付けて前記記憶装置に記録し、
前記特定部は、
前記第１取得部により取得されたプリンタ識別情報に関連付けられたオプション構成情報を特定し、
前記第１取得部により取得されたプリンタ識別情報と、特定したオプション構成情報と、に関連付けられた通信パラメータを特定する、
請求項２乃至７のいずれか一項に記載のサーバ。
【請求項９】
前記第１取得部により取得されたタグ識別情報と、前記記憶装置に記録されたタグ識別情報とを照合することにより、前記ＲＦＩＤタグの真贋を判定する判定部をさらに備える、
請求項１乃至８のいずれか一項に記載のサーバ。
【請求項１０】
請求項１乃至９のいずれか一項に記載のサーバと接続可能なプリンタであって、
前記プリンタに割り当てられたプリンタ識別情報と、前記ＲＦＩＤ通信の対象となるＲＦＩＤタグのタグ識別情報とを取得する第２取得部と、
前記第２取得部により取得されたプリンタ識別情報及びタグ識別情報を前記サーバに送信する第２送信部と、
前記サーバによって送信された通信パラメータに基づき、前記ＲＦＩＤタグとのＲＦＩＤ通信を実行する通信制御部とを備える、
プリンタ。
【請求項１１】
ＲＦＩＤ（Radio Frequency IDentification）タグとＲＦＩＤ通信を実行する一又は複数のプリンタと接続可能なサーバにおいて、コンピュータに実行されるプログラムであって、
前記プリンタを識別するプリンタ識別情報と、ＲＦＩＤタグを識別するタグ識別情報と、前記プリンタがＲＦＩＤ通信を実行するための通信パラメータとを関連付けて記憶装置に記録するステップ、
前記プリンタから、前記プリンタ識別情報と、前記プリンタにより読み取られたタグ識別情報とを取得するステップ、および、
前記取得されたプリンタ識別情報とタグ識別情報とに関連付けられた通信パラメータを特定し、
前記特定された通信パラメータを前記プリンタに送信するステップ、
を前記コンピュータに実行させるためのプログラム。
【請求項１２】
サーバと通信可能であり、ＲＦＩＤ（Radio Frequency IDentification）タグとＲＦＩＤ通信を実行するプリンタにおいて、コンピュータに実行されるプログラムであって、
前記プリンタに割り当てられたプリンタ識別情報と、前記ＲＦＩＤ通信の対象となるＲＦＩＤタグのタグ識別情報とを取得するステップ、
前記取得されたプリンタ識別情報及びタグ識別情報を前記サーバに送信するステップ、および、
前記サーバから受信した通信パラメータに基づき、前記ＲＦＩＤタグとのＲＦＩＤ通信を実行するステップ、
を前記コンピュータに実行させるためのプログラム。
【発明の詳細な説明】
【技術分野】
【０００１】
本発明は、サーバ、プリンタ、及び、プログラムに関する。
【背景技術】
【０００２】
近年、印字媒体に印字情報を印字する印字機能と、印字媒体に含まれるＲＦＩＤ（Radio Frequency IDentification）タグとの通信（以下「ＲＦＩＤ通信」という）を実行する通信機能と、を有するプリンタが普及している（例えば、米国特許第７１９０２７０号明細書を参照）。【０００３】
このようなプリンタは、一般に、ＲＦＩＤ通信を実行する前に、ＲＦＩＤ通信において用いられる通信パラメータを設定するためのキャリブレーションを実行し、且つ、キャリブレーション結果に基づいて、ユーザがパラメータを設定する。
【発明の概要】
【発明が解決しようとする課題】
【０００４】
しかしながら、ユーザがパラメータを設定する場合には、経験が必要であるとともに、手間がかかる。更に、手作業の場合には、設定を誤る等の人為的なミスが発生する可能性もある。このように、従来では、ＲＦＩＤ通信における適切な通信パラメータの設定は、容易ではなかった。【０００５】
本発明の目的は、ＲＦＩＤ通信において、適切な通信パラメータの設定を容易に実現することである。
【課題を解決するための手段】
【０００６】
本発明の一態様は、ＲＦＩＤ（Radio Frequency IDentification）タグとＲＦＩＤ通信を実行する一又は複数のプリンタと接続可能なサーバであって、前記プリンタを識別するプリンタ識別情報と、ＲＦＩＤタグを識別するタグ識別情報と、前記プリンタがＲＦＩＤ通信を実行するための通信パラメータとを関連付けて記憶装置に記録する記録部と、前記プリンタから、前記プリンタ識別情報と、前記プリンタにより読み取られたタグ識別情報とを取得する第１取得部と、前記第１取得部により取得されたプリンタ識別情報とタグ識別情報とに関連付けられた通信パラメータを特定する特定部と、前記特定部により特定された通信パラメータを前記プリンタに送信する第１送信部と、を備える、サーバである。
【発明の効果】
【０００７】
本発明の一態様によれば、ＲＦＩＤ通信において、適切な通信パラメータの設定を容易に実現することができる。
【図面の簡単な説明】
【０００８】
【図１】本実施形態の情報処理システムの概略図。
【図２】図１の印字媒体の概略図。
【図３】図１の情報処理システムの構成を示すブロック図。
【図４】図３のプリンタの内部構成を示す概略図。
【図５】図４のプリンタのオプション構成を示す概略図。
【図６】本実施形態のユーザ情報データベースのデータ構造を示す図。
【図７】本実施形態のプリンタマスタデータベースのデータ構造を示す図。
【図８】本実施形態のサプライマスタデータベースのデータ構造を示す図。
【図９】本実施形態のプリンタ情報データベースのデータ構造を示す図。
【図１０】図１のサーバの機能ブロック図。
【図１１】本実施形態のＲＦＩＤ通信処理のシーケンス図。
【図１２】図１１の処理において表示される画面例を示す図。
【図１３】本実施形態のエラー登録処理のシーケンス図。
【図１４】図１３の処理において表示される画面例を示す図。
【図１５】変形例１のプリンタマスタデータベースのデータ構造を示す図。
【図１６】変形例２のプリンタマスタデータベースのデータ構造を示す図。
【図１７】変形例２のオプション設定処理のシーケンス図。
【図１８】図１７の処理において表示される画面例を示す図。
【図１９】変形例５のプリンタマスタデータベースのデータ構造を示す図。
【発明を実施するための形態】
【０００９】
本発明は、２０１７年１２月２７日に日本国特許庁に出願された特願２０１７−２５１１９３の特許出願に関連しており、この出願のすべての内容がこの明細書に参照によって組み込まれる。
【００１０】
以下、本発明の一実施形態について、図面に基づいて詳細に説明する。なお、実施形態を説明するための図面において、同一の構成要素には原則として同一の符号を付し、繰り返しの説明は省略する。
【００１１】
（１）情報処理システムの構成
情報処理システムの構成について説明する。図１は、本実施形態の情報処理システムの概略図である。図２は、図１の印字媒体の概略図である。
【００１２】
図１に示すように、情報処理システム１は、複数のプリンタ１０−１及び１０−２と、サーバ３０とを備える。なお、以下の説明において、プリンタ１０−１とプリンタ１０−２とを特に区別しない場合には、「プリンタ１０」と称する。
プリンタ１０及びサーバ３０は、ネットワーク（例えば、インターネット又はイントラネット）ＮＷを介して接続される。
【００１３】
図２に示すように、印字媒体Ｐは、台紙ＰＭと、複数のラベルＰＬと、各ラベルＰＬに埋め込まれたＲＦＩＤタグＲＴと、を含む。
各ラベルＰＬの上面は、プリンタ１０による印字が可能な印字面Ｓｐである。各ラベルＰＬは、印字媒体Ｐの搬送方向（Ｘ方向）について、所定間隔を空けて台紙ＰＭに仮着されている。
【００１４】
図１のプリンタ１０は、ラベルＰＬに印字情報を印字する印字機能と、ＲＦＩＤ通信を実行する通信機能と、を有する。本実施形態のＲＦＩＤ通信は、ＲＦＩＤタグＲＴのＩＣ（Integrated Circuit）チップへ情報を書き込むための通信と、ＲＦＩＤタグＲＴのＩＣチップに記録された情報を読み出すための通信と、を含む。プリンタ１０は、例えば、サーマルプリンタである。
【００１５】
サーバ３０は、プリンタ１０から送信されたリクエストに応じたレスポンスをプリンタ１０に提供する情報処理装置の一例である。サーバ３０は、例えば、ウェブサーバであり、プリンタ側のソフトウェアとＨＴＴＰによる通信を行うプログラム及びコンピュータである。
【００１６】
（１−１）プリンタの構成
プリンタ１０の構成について説明する。なお、以下では、説明の便宜上、１台のプリンタ１０と、サーバ３０とが接続された構成を用いて説明する。図３は、図１の情報処理システムの構成を示すブロック図である。図４は、図３のプリンタの内部構成を示す概略図である。図５は、図４のプリンタのオプション構成を示す概略図である。
【００１７】
図３に示すように、プリンタ１０は、例えば、記憶装置１１と、プロセッサ１２と、入出力インタフェース１３と、通信インタフェース１４と、駆動回路１５と、を備える。
【００１８】
記憶装置１１は、プログラム及びデータを記憶するように構成される。記憶装置１１は、例えば、ＲＯＭ（Read Only Memory）、ＲＡＭ（Random Access Memory）、及び、ストレージ（例えば、フラッシュメモリ又はハードディスク）の組合せである。
【００１９】
プログラムは、例えば、以下のプログラムを含む。
・ＯＳ（Operating System）のプログラム
・プリンタ１０の各部を制御するファームウェアのプログラム
・プリンタ１０のアプリケーションのプログラム
【００２０】
データは、例えば、以下のデータを含む。
・情報処理の実行において参照されるデータベース
・情報処理の実行結果により得られるデータ（つまり、情報処理の実行結果）
・ファームウェアが参照するパラメータ
・プリンタに関するプリンタ情報（例えば、プリンタ１０に予め割り当てられたプリンタシリアルコード）
【００２１】
プロセッサ１２は、記憶装置１１に格納されたプログラムを起動することによって、プリンタ１０の機能を実現するように構成される。プロセッサ１２は、コンピュータの一例である。
【００２２】
入出力インタフェース１３は、プリンタ１０に接続される入力デバイスからユーザの指示を取得し、かつ、プリンタ１０に接続される出力デバイスに情報を出力するように構成される。
入力デバイスは、例えば、物理ボタン、タッチパネル、又は、それらの組合せである。
出力デバイスは、例えば、ディスプレイである。
【００２３】
通信インタフェース１４は、プリンタ１０とサーバ３０との間の通信を制御するように構成される。
【００２４】
駆動回路１５は、プリンタ１０の各部を駆動するための駆動信号を生成する。
【００２５】
図４に示すように、プリンタ１０の内部には、プラテンローラ１５０と、サーマルヘッド１５１と、リーダライタ１５２と、収容部１６と、が配置される。
収容部１６には、ロール紙Ｒが収容される。ロール紙Ｒの先端は、プラテンローラ１５０と、サーマルヘッド１５１と、により挟持される。
プラテンローラ１５０は、駆動回路１５によって生成された駆動信号に従って回転することにより、収容部１６に収容されたロール紙Ｒから、帯状の印字媒体Ｐを繰り出して搬送する。
サーマルヘッド１５１は、駆動回路１５によって生成された駆動信号に従って発熱する
ことにより、プラテンローラ１５０によって搬送された印字媒体ＰのラベルＰＬに印字情報を印字する。
リーダライタ１５２は、駆動回路１５によって生成された駆動信号に従って、ＲＦＩＤ通信を実行する。
【００２６】
図５Ａは、剥離発行機能を有するプリンタ１０のオプション構成を示している。剥離発行機能では、印字情報が印字されたラベルＰＬが台紙ＰＭから剥離され、プリンタ１０の外部に排出される。
図５Ａに示すように、プリンタ１０の内部には、図４の構成に加えて、剥離ユニット１５４が配置される。
【００２７】
剥離ユニット１５４は、サーマルヘッド１５１によって印字情報が印字されたラベルＰＬの搬送経路と台紙ＰＭの搬送経路とを分岐することにより、ラベルＰＬを台紙ＰＭから剥離する。
【００２８】
図５Ｂは、連続発行機能を有するプリンタ１０のオプション構成を示している。連続発行機能では、印字情報が印字された所定枚数のラベルＰＬが台紙ＰＭに仮着したままプリンタ１０の外部に排出される。
図５Ｂに示すように、プリンタ１０の内部には、図４の構成に加えて、カッタユニット１５５が配置される。
【００２９】
カッタユニット１５５は、駆動回路１５によって生成された駆動信号に従って、サーマルヘッド１５１によって印字情報が印字された所定枚数のラベルＰＬと、印字情報が印字されていないラベルＰＬと、の間の台紙ＰＭを切断する。
【００３０】
図５Ｃは、無線通信機能を有するプリンタ１０のオプション構成を示している。無線通信機能では、ネットワークＮＷを介した無線通信（例えば、サーバ３０との通信）が行われる。
図５Ｃに示すように、プリンタ１０の内部には、図４の構成に加えて、無線通信ユニット１５３が配置される。
【００３１】
無線通信ユニット１５３は、通信インタフェース１４に接続される。無線通信ユニット１５３は、プロセッサ１２の制御に従い、プリンタ１０とサーバ３０との間の通信を行う。
【００３２】
（１−２）サーバの構成
サーバ３０の構成について説明する。
【００３３】
図３に示すように、サーバ３０は、例えば、記憶装置３１と、プロセッサ３２と、入出力インタフェース３３と、通信インタフェース３４とを備える。
【００３４】
記憶装置３１は、プログラム及びデータを記憶する。記憶装置３１は、例えば、ＲＯＭ、ＲＡＭ、及び、ストレージ（例えば、フラッシュメモリ又はハードディスク）の組合せである。
【００３５】
記憶装置３１に格納されているプログラムは、例えば、以下のプログラムを含む。
・ＯＳのプログラム
・情報処理を実行するアプリケーションのプログラム
【００３６】
記憶装置３１に格納されているデータは、例えば、以下のデータを含む。
・情報処理の実行において参照されるデータベース
・情報処理の実行結果
【００３７】
プロセッサ３２は、記憶装置３１に格納されたプログラムを起動することによって、サーバ３０の機能を実現する。プロセッサ３２は、コンピュータの一例である。
【００３８】
入出力インタフェース３３は、サーバ３０に接続される入力デバイスからユーザの指示を取得し、かつ、サーバ３０に接続される出力デバイスに情報を出力する。
入力デバイスは、例えば、キーボード、ポインティングデバイス、タッチパネル、又は、それらの組合せである。
出力デバイスは、例えば、ディスプレイである。
【００３９】
通信インタフェース３４は、サーバ３０とプリンタ１０との間の通信を制御する。
【００４０】
（２）データベース
本実施形態のデータベースについて説明する。以下のデータベースは、記憶装置３１に格納される。
【００４１】
（２−１）ユーザ情報データベース
本実施形態のユーザ情報データベースについて説明する。図６は、本実施形態のユーザ情報データベースのデータ構造を示す図である。
【００４２】
図６のユーザ情報データベースには、ユーザに関するユーザ情報が格納される。
ユーザ情報データベースは、「ユーザＩＤ」フィールドと、「ユーザ名」フィールドと、「コンタクト」フィールドと、「ユーザ属性」フィールドと、「サプライシリアル」フィールドと、を含む。
「ユーザＩＤ」フィールドには、ユーザを識別するユーザＩＤ（「ユーザ識別情報」の一例）が格納される。ユーザＩＤは、例えば、ユーザ情報をサーバ３０に登録する際にサーバ３０によって任意に決められる。
「ユーザ名」フィールドには、ユーザ名に関する情報（例えば、テキスト）が格納される。ユーザ名は、ユーザ情報をサーバ３０に登録する際にユーザによって任意に決められる。
「コンタクト」フィールドには、ユーザの連絡先に関する情報（例えば、メールアドレス、サーバ３０にログインするためのアカウント、又は、それらの組合せ）が格納される。
「ユーザ属性」フィールドには、ユーザの属性に関するユーザ属性情報が格納される。「ユーザ属性」フィールドは、「業種」フィールドと、「使用場所」フィールドと、を含む。ユーザ属性情報は、ユーザ情報をサーバ３０に登録する際にユーザによって任意に決められる。
「業種」フィールドには、ユーザの業種に関する情報が格納される。
「使用場所」フィールドには、プリンタ１０の使用場所に関する情報が格納される。
「サプライシリアル」フィールドには、ユーザが所有する印字媒体Ｐを識別するサプライシリアル情報が格納される。「サプライシリアル」フィールドの情報は、ユーザが印字媒体Ｐを購入するごと、及び、ユーザが印字媒体Ｐを使い切るごとに、更新される。
【００４３】
（２−２）プリンタマスタデータベース
本実施形態のプリンタマスタデータベースについて説明する。図７は、本実施形態のプリンタマスタデータベースのデータ構造を示す図である。
【００４４】
図７のプリンタマスタデータベースには、プリンタ機種ＩＤ及びサプライＩＤの組合せ毎の通信パラメータが格納される。プリンタマスタデータベースの情報は、記憶装置３１に予め記録されている。
プリンタマスタデータベースは、「プリンタ機種ＩＤ」フィールドと、「機種名」フィールドと、「プリンタシリアル」フィールドと、「サプライＩＤ」フィールドと、「通信パラメータ」フィールドと、「印字パラメータ」フィールドと、を含む。
【００４５】
「プリンタ機種ＩＤ」フィールドには、プリンタ１０の機種を識別するプリンタ機種ＩＤ（「プリンタ識別情報」の一例）が格納される。
「機種名」フィールドには、プリンタ１０の機種名に関する情報（例えば、テキスト）が格納される。
「プリンタシリアル」フィールドには、１台のプリンタ１０に固有のプリンタシリアルコード（「プリンタ識別情報」の一例）が格納される。１つのプリンタ機種ＩＤによって識別される複数のプリンタ１０には、それぞれ、固有のプリンタシリアルコードが割り当てられる。各プリンタ１０に割り当てられたプリンタシリアルコードは、各プリンタ１０の記憶装置１１に記録されている。
「サプライＩＤ」フィールドには、印字媒体Ｐの型番を識別するサプライＩＤ（「印字媒体識別情報」の一例）が格納される。
「通信パラメータ」フィールドには、プリンタ１０がＲＦＩＤ通信を実行するための通信パラメータが格納される。通信パラメータは、ＲＦＩＤタグＲＴの製造工程に含まれる品質検査において、プリンタ機種と印字媒体Ｐの種類との組合せ毎に設定された最適な値（通信設定情報）である。
「通信パラメータ」フィールドは、「書込パラメータ」フィールドと、「読出パラメータ」フィールドと、を含む。
「書込パラメータ」フィールドには、ＲＦＩＤタグＲＴのＩＣチップに情報を書き込むためのＲＦＩＤ通信（以下「書込通信」という）において参照される書込パラメータが格納される。
「読出パラメータ」フィールドには、ＲＦＩＤタグＲＴのＩＣチップに記録された情報を読み出すためのＲＦＩＤ通信（以下「読出通信」という）において参照される読出パラメータが格納される。
「書込パラメータ」フィールド及び「読出パラメータ」フィールドは、それぞれ、「搬送距離」フィールドと、「通信搬送速度」フィールドと、「電磁波レベル」フィールドと、を含む。
各「搬送距離」フィールドには、書込処理又は読出処理において、ＲＦＩＤタグＲＴがリーダライタ１５２との交信領域（通信位置）に到達するのに必要な搬送距離に関する情報（例えば、搬送距離の値［ｍｍ］）が格納される。
各「通信搬送速度」フィールドには、書込処理又は読出処理において、ＲＦＩＤタグＲＴが交信領域を通過する時の印字媒体Ｐの通信搬送速度に関する情報（例えば、通信搬送速度の値［ｉｎｃｈ／ｓｅｃ］）が格納される。
各「電磁波レベル」フィールドには、書込処理又は読出処理において、リーダライタ１５２から放射される電磁波の強度に関する情報（例えば、電磁波の値［ｄＢ］）が格納される。
「印字パラメータ」フィールドには、ラベルＰＬへの印字情報の印字の際に参照される印字パラメータが格納される。「印字パラメータ」フィールドは、「印字濃度」フィールドと、「印字搬送速度」フィールドと、を含む。
「印字濃度」フィールドには、印字情報の印字濃度に関する情報（例えば、サーマルヘッド１５１の温度、又は、サーマルヘッド１５１に印加すべき電圧）が格納される。
「印字搬送速度」フィールドには、印字のときの印字媒体Ｐの印字搬送速度に関する情報が格納される。
【００４６】
ＲＦＩＤ通信は、プリンタ機種及び印字媒体Ｐの種類の組合せに応じて最適な制御が決まる。ＲＦＩＤ通信は、プリンタ１０の構成（例えば、プリンタ内の金属部材等）や印字媒体Ｐの構成（例えば、紙基材等のラベル属性）の影響を受ける。記憶装置３１には、プリンタ機種ＩＤ及びサプライＩＤの組合せ毎に通信パラメータが記録されるので、プリンタ機種及び印字媒体Ｐの種類の組合せに応じた通信パラメータをプリンタ１０に提供することができる。
【００４７】
（２−３）サプライマスタデータベース
本実施形態のサプライマスタデータベースについて説明する。図８は、本実施形態のサプライマスタデータベースのデータ構造を示す図である。
【００４８】
図８のサプライマスタデータベースには、ＲＦＩＤタグＲＴを含む印字媒体Ｐに関するサプライ情報が格納される。サプライマスタデータベースの情報は、記憶装置３１に予め記録されている。
サプライマスタデータベースは、「サプライＩＤ」フィールドと、「サプライ名」フィールドと、「サプライシリアル」フィールドと、「タグＩＤ」フィールドと、「サプライ属性」フィールドと、を含む。
【００４９】
「サプライＩＤ」フィールドには、印字媒体Ｐの型番を識別するサプライＩＤが格納される。
「サプライ名」フィールドには、印字媒体Ｐの名称に関する情報（例えば、テキスト）が格納される。
「サプライシリアル」フィールドには、ＲＦＩＤタグＲＴを含む印字媒体Ｐに固有のサプライシリアル情報（「印字媒体識別情報」の一例）が格納される。１つのサプライＩＤに対して、一又は複数のサプライシリアル情報が関連付けられる。
「タグＩＤ」フィールドには、ＲＦＩＤタグＲＴを識別するタグＩＤ（「タグ識別情報」の一例）が格納される。
「サプライ属性」フィールドには、印字媒体Ｐの属性に関するサプライ属性情報（「印字媒体属性情報」の一例）が格納される。「サプライ属性」フィールドは、「ラベル属性」フィールドと、「ラベルサイズ」フィールドと、「チップメーカ」フィールドと、「チップタイプ」フィールドと、「インレイメーカ」フィールドと、「インレイタイプ」フィールドと、「用途」フィールドと、を含む。
「ラベル属性」フィールドには、ラベルＰＬの属性（例えば、ラベルＰＬの製造日、ラベルＰＬの製造工場、ラベルＰＬの材料（紙基材及び糊の材料）、ラベルＰＬの使用に適したプリンタ１０に関する情報、及び、ラベルＰＬへの印字に適した解像度に関する情報）に関するラベル属性情報が格納される。
「ラベルサイズ」フィールドには、印字媒体ＰにおけるラベルＰＬのサイズ（例えば、長手方向の長さＰ、及び、短手方向の長さＷ）に関するラベルサイズ情報が格納される。
「チップメーカ」フィールドには、ＲＦＩＤタグＲＴのＩＣチップの製造者に関する情報が格納される。
「チップタイプ」フィールドには、ＩＣチップの種類に関する情報が格納される。
「インレイメーカ」フィールドには、ＲＦＩＤタグＲＴのインレイの製造者に関する情報が格納される。
「インレイタイプ」フィールドには、インレイの種類に関する情報が格納される。
「用途」フィールドには、ＲＦＩＤタグＲＴの用途（例えば、「値札」又は「チケットページ」）に関する情報が格納される。
【００５０】
（２−４）プリンタ情報データベース
本実施形態のプリンタ情報データベースについて説明する。図９は、本実施形態のプリンタ情報データベースのデータ構造を示す図である。
【００５１】
図９のプリンタ情報データベースには、ユーザが登録したプリンタ１０に関するプリンタ情報が格納される。
プリンタ情報データベースは、「プリンタシリアル」フィールドと、「プリンタ機種ＩＤ」フィールドと、「オプション構成」フィールドと、「読出ログ」フィールドと、「書込ログ」フィールドと、「エラー」フィールドと、を含む。
プリンタ情報データベースは、ユーザＩＤに関連付けられている。
【００５２】
「プリンタシリアル」フィールドには、１台のプリンタ１０に固有のプリンタシリアルコードが格納される。１つのプリンタ機種ＩＤによって識別される複数のプリンタ１０には、それぞれ、固有のプリンタシリアルコードが割り当てられる。
「プリンタ機種ＩＤ」フィールドには、プリンタシリアルコードが割り当てられたプリンタ１０のプリンタ機種ＩＤが格納される。
「オプション構成」フィールドには、プリンタ１０のオプション構成に関するオプション構成情報が格納される。「オプション構成」フィールドは、「カッタユニットＩＤ」フィールドと、「剥離ユニットＩＤ」フィールドと、「無線通信ユニットＩＤ」フィールドと、を含む。
「カッタユニットＩＤ」フィールドには、プリンタ１０に取り付けられたカッタユニット１５５を識別するカッタユニットＩＤが格納される。
「剥離ユニットＩＤ」フィールドには、プリンタ１０に取り付けられた剥離ユニット１５４を識別する剥離ユニットＩＤが格納される。
「無線通信ユニットＩＤ」フィールドには、プリンタ１０に取り付けられた無線通信ユニット１５３を識別する無線通信ユニットＩＤが格納される。
「読出ログ」フィールドには、読出通信のログ情報が格納される。「読出ログ」フィールドは、「サプライシリアル」フィールドと、「読出回数」フィールドと、を含む。
「サプライシリアル」フィールドには、読出通信の対象になったＲＦＩＤタグＲＴを含む印字媒体Ｐのサプライシリアル情報が格納される。
「読出回数」フィールドには、読出通信の実行回数に関する情報が格納される。
「書込ログ」フィールドには、書込通信のログ情報が格納される。「書込ログ」フィールドは、「サプライシリアル」フィールドと、「書込回数」フィールドと、を含む。
「サプライシリアル」フィールドには、書込通信の対象になったＲＦＩＤタグＲＴを含む印字媒体Ｐのサプライシリアル情報が格納される。
「書込回数」フィールドには、書込通信の実行回数に関する情報が格納される。
「エラー」フィールドには、ＲＦＩＤ通信のエラーに関するエラー情報が格納される。「エラー」フィールドは、「サプライシリアル」フィールドと、「エラーコード」フィールドと、を含む。
「エラー発生日時」フィールドには、エラー発生日時に関する情報が格納される。
「サプライシリアル」フィールドには、エラーが発生したＲＦＩＤ通信において使用されていたＲＦＩＤタグＲＴを含む印字媒体Ｐのサプライシリアル情報が格納される。
「エラーコード」フィールドには、エラーの種類を示すエラーコードが格納される。
【００５３】
（３）機能ブロック
本実施形態の機能ブロックについて図１０を参照して説明する。図１０は、図１のサーバ及びプリンタの機能ブロック図である。
【００５４】
図１０に示すように、サーバ３０のプロセッサ３２は、記録部３２０、第１取得部３２１、特定部３２２、及び、第１送信部３２３、として機能する。
プリンタ１０のプロセッサ１２は、第２送信部１２０、第２取得部１２１、及び、通信制御部１２２として機能する。
【００５５】
サーバ３０の記録部３２０は、プリンタ１０を識別するプリンタ識別情報（例えば、プリンタ機種ＩＤ）と、複数のＲＦＩＤタグＲＴを含む印字媒体Ｐを識別する印字媒体識別情報（例えば、サプライＩＤ）と、プリンタ１０がＲＦＩＤ通信を実行するための通信パラメータと、を関連付けて、記憶装置３１に記録するように構成される。
また、サーバ３０の記録部３２０は、ＲＦＩＤタグＲＴを識別するタグ識別情報（例えば、タグＩＤ）と、印字媒体識別情報と、を関連付けて記憶装置３１に記録するように構成される。
【００５６】
プリンタ１０の第２取得部１２１は、プリンタ１０に割り当てられたプリンタ識別情報と、収容部１６に収容された印字媒体に含まれるＲＦＩＤタグＲＴのタグ識別情報と、を取得するように構成される。
【００５７】
プリンタ１０の第２送信部１２０は、第２取得部１２１により取得されたプリンタ識別情報及びタグ識別情報をサーバ３０に送信するように構成される。
【００５８】
サーバ３０の第１取得部３２１は、プリンタ１０の第２送信部１２０によって送信されたプリンタ識別情報及びタグ識別情報を取得するように構成される。
【００５９】
サーバ３０の特定部３２２は、記憶装置３１にアクセスして、第１取得部３２１によって取得されたタグ識別情報に関連付けられた印字媒体識別情報を特定するように構成される。
また、サーバ３０の特定部３２２は、特定した印字媒体識別情報と、第１取得部３２１によって取得されたプリンタ識別情報と、に関連付けられた通信パラメータを特定するように構成される。
【００６０】
サーバ３０の第１送信部３２３は、特定部３２２によって特定された通信パラメータをプリンタ１０に送信するように構成される。
【００６１】
プリンタ１０の第２取得部１２１は、サーバ３０の第１送信部３２３によって送信された通信パラメータを取得するように構成される。
【００６２】
プリンタ１０の通信制御部１２２は、第２取得部１２１によって取得された通信パラメータを参照してリーダライタ１５２を制御することにより、当該通信パラメータに応じたＲＦＩＤ通信を実行するように構成される。
【００６３】
このように、サーバ３０は、プリンタ１０及びＲＦＩＤタグＲＴの組合せに応じた通信パラメータをプリンタ１０に送信する。プリンタ１０は、キャリブレーションを実行せずに、サーバ３０から送信された通信パラメータを参照して、ＲＦＩＤ通信を実行する。
これにより、ＲＦＩＤ通信において、適切な通信パラメータの設定を容易に実現することができる。
【００６４】
（４）情報処理
本実施形態の情報処理について説明する。
【００６５】
（４−１）ＲＦＩＤ通信処理
本実施形態のＲＦＩＤ通信処理について説明する。図１１は、本実施形態のＲＦＩＤ通信処理のシーケンス図である。図１２は、図１１の処理において表示される画面例を示す図である。
なお、図１１のＲＦＩＤ通信処理は、ＲＦＩＤ通信の種類（読出通信及び書込通信）に関わらず、同様に実行される。
【００６６】
図１１に示すように、プリンタ１０は、搬送を実行する（Ｓ１００）。
具体的には、ユーザが、プリンタカバーを開放し、ロール紙Ｒを収容部１６にセットする。その後、ユーザが、プリンタカバーを閉鎖し、且つ、プリンタ１０に対して、ＲＦＩＤ通信の実行を示すユーザ指示を与える。
駆動回路１５は、プラテンローラ１５０の駆動信号を生成することにより、プラテンローラ１５０を回転させる。これにより、収容部１６に収容されたロール紙Ｒが、帯状の印字媒体Ｐとして繰り出される。
【００６７】
ステップＳ１００の後、プリンタ１０は、タグＩＤの取得を実行する（Ｓ１０１）。
具体的には、リーダライタ１５２は、通信制御部１２２の制御に従い、プラテンローラ１５０によって搬送された印字媒体Ｐに含まれる複数のＲＦＩＤタグＲＴのうち先頭のＲＦＩＤタグＲＴに記録されたタグＩＤを読み取る。
【００６８】
ステップＳ１０１の後、プリンタ１０は、パラメータリクエストを実行する（Ｓ１０２）。
具体的には、プリンタ１０の第２取得部１２１は、ステップＳ１０１でリーダライタ１５２によって読み取られたタグＩＤと、記憶装置１１に記録されたプリンタシリアルコードと、を取得する。
プリンタ１０の第２送信部１２０は、パラメータリクエストデータをサーバ３０に送信する。
パラメータリクエストデータは、以下の情報を含む。
・ステップＳ１０１でプリンタ１０の第２取得部１２１により取得されたプリンタシリアルコード
・ステップＳ１０１でプリンタ１０の第２取得部１２１により取得されたタグＩＤ
【００６９】
ステップＳ１０２の後、サーバ３０は、タグ情報の特定を実行する（Ｓ３００）。
具体的には、サーバ３０の特定部３２２は、サプライマスタデータベース（図８）を参照して、パラメータリクエストデータに含まれるタグＩＤに関連付けられた「サプライ名」フィールドのサプライ名に関する情報と、「サプライシリアル」フィールドのサプライシリアル情報と、「サプライ属性」フィールドのサプライ属性情報と、を特定する。
【００７０】
サーバ３０は、ステップＳ３００においてプリンタ１０から取得したタグＩＤと、サプライマスタデータベース（図８）に記録されたタグＩＤと、を照合することにより、ＲＦＩＤタグの真贋を判定する（Ｓ３０１）。
具体的には、ステップＳ３００において、パラメータリクエストデータに含まれるタグＩＤがサプライマスタデータベース（図８）に含まれていない場合、プロセッサ３２は、通信に使用されるＲＦＩＤタグが真正品ではないと判定する（Ｓ３０１において、ＮＯ）。この場合、サーバ３０は、プリンタ１０に、非真正通知データを送信する。非真正通知データは、真正品でないことを示すメッセージを含む。
ステップＳ３００において、パラメータリクエストデータに含まれるタグＩＤがサプライマスタデータベース（図８）に含まれている場合、プロセッサ３２は、通信に使用されるＲＦＩＤタグが真正品であると判定する（Ｓ３０１において、ＹＥＳ）。この場合、通信パラメータの特定に進む（Ｓ３０２）。
ステップＳ３０１を実行するプロセッサ３２は、第１取得部３２１により取得されたタグＩＤと、記憶装置３１に記録されたタグＩＤとを照合することにより、ＲＦＩＤタグの真贋を判定する判定部として機能する。
【００７１】
ステップＳ３０１で真正品でないと判定された場合（Ｓ３０１において、ＮＯ）、プリンタ１０は、画面表示を実行する（Ｓ１０３）。
具体的には、プロセッサ１２は、ステップＳ３０１でサーバ３０から送信された非真正通知データに基づいて、画面Ｐ１００（図１２Ａ）をディスプレイに表示する。
【００７２】
図１２Ａに示すように、画面Ｐ１００には、ＲＦＩＤタグＲＴが真正品でないことを示すメッセージが表示される。
【００７３】
ステップＳ３０１で真正品であると判定された場合（Ｓ３０１において、ＹＥＳ）、サーバ３０は、通信パラメータの特定を実行する（Ｓ３０２）。例えば、サーバ３０の特定部３２２は、第１取得部３２１により取得されたタグＩＤと、記憶装置３１に記録されたタグＩＤと、を照合して、対象サプライＩＤを特定する。具体的には、特定部３２２は、サプライマスタデータベース（図８）を参照して、パラメータリクエストデータに含まれるタグＩＤに関連付けられた「サプライＩＤ」フィールドに格納されたサプライＩＤ（以下「対象サプライＩＤ」という）を特定する。
【００７４】
サーバ３０の特定部３２２は、プリンタマスタデータベース（図７）を参照して、パラメータリクエストデータに含まれるプリンタシリアルコードに関連付けられたレコード（以下「対象プリンタ機種レコード」という）を特定する。
特定部３２２は、対象プリンタ機種レコードを参照して、対象サプライＩＤに関連付けられた「通信パラメータ」フィールドを特定する。
特定部３２２は、特定した「通信パラメータ」フィールドに含まれる「読出パラメータ」フィールド及び「書込パラメータ」フィールドのうち、通信の種類に対応するフィールドに格納された通信パラメータ（読出パラメータ又は書込パラメータ）を特定する。
つまり、サーバ３０の特定部３２２は、対象サプライＩＤと、第１取得部３２１により取得されたプリンタシリアルコードと、記憶装置３１に記録されたサプライＩＤ及びプリンタシリアルコードとを照合して、通信パラメータを特定する。
【００７５】
ステップＳ３０２の後、サーバ３０は、パラメータレスポンスを実行する（Ｓ３０３）。
具体的には、サーバ３０の特定部３２２は、ユーザ情報データベース（図６）を参照して、パラメータリクエストデータに含まれるタグＩＤに関連付けられたユーザ名を特定する。
サーバ３０の第１送信部３２３は、パラメータレスポンスデータをプリンタ１０に送信する。
パラメータレスポンスデータは、以下を含む。
・ステップＳ３００で特定されたサプライ属性情報
・ステップＳ３０２で特定された通信パラメータ
・ステップＳ３０３で特定されたユーザ名
【００７６】
ステップＳ３０３の後、プリンタ１０は、画面表示を実行する（Ｓ１０４）。
具体的には、プリンタ１０の第２取得部１２１は、ステップＳ３０３でサーバ３０から送信されたパラメータレスポンスデータを取得する。
プロセッサ１２は、パラメータレスポンスデータに基づいて、画面Ｐ１０２（図１２Ｂ）をディスプレイに表示する。
【００７７】
図１２Ｂに示すように、画面Ｐ１０２は、表示オブジェクトＡ１０２と、ボタンオブジェクトＢ１０２ａ〜Ｂ１０２ｂと、を含む。
表示オブジェクトＡ１０２は、パラメータレスポンスデータに含まれるユーザ名に関する情報と、サプライ名と、サプライ属性情報（例えば、ラベルサイズ、チップタイプ、及び、用途に関する情報）と、通信パラメータ（例えば、搬送距離、通信搬送速度、及び、電磁波レベルに関するパラメータ）と、が表示される。
ボタンオブジェクトＢ１０２ａは、通信を開始するためのユーザ指示を受け付けるオブジェクトである。
ボタンオブジェクトＢ１０２ｂは、通信を中止するためのユーザ指示を受け付けるオブジェクトである。
【００７８】
ステップＳ１０４の後、プリンタ１０は、ＲＦＩＤ通信を実行する（Ｓ１０５）。
具体的には、ユーザが、ボタンオブジェクトＢ１０２ａ（図１２）を操作すると、プロセッサ１２は、ＲＦＩＤ通信を開始するためのユーザ指示を受け付ける。
【００７９】
プロセッサ１２は、ユーザ指示に応じて、ＲＦＩＤ通信のシーケンスを開始する。
具体的には、プリンタ１０の通信制御部１２２は、パラメータレスポンスデータに含まれる通信パラメータを記憶装置１１に記録する。
駆動回路１５は、プラテンローラ１５０の駆動信号を生成することにより、プラテンローラ１５０を回転させる。これにより、収容部１６に収容されたロール紙Ｒから帯状の印字媒体Ｐが繰り出される。
プリンタ１０の通信制御部１２２は、記憶装置１１に記録された通信パラメータに基づいて、リーダライタ１５２を制御するための通信制御信号を生成する。通信制御信号は、通信パラメータに含まれる搬送距離、通信搬送速度、及び、電磁波レベルに対応する信号波形を有する。
リーダライタ１５２は、プリンタ１０の通信制御部１２２によって生成された通信制御信号に従って、ＲＦＩＤ通信を実行する。
【００８０】
ステップＳ１０５の後、プリンタ１０は、ログ更新リクエストを実行する（Ｓ１０６）。
具体的には、プロセッサ１２は、ログ更新リクエストデータをサーバ３０に送信する。
ログ更新リクエストデータは、以下を含む。
・プリンタ１０のプリンタシリアルコード
・ＲＦＩＤ通信（Ｓ１０５）の対象となったＲＦＩＤタグＲＴの数
【００８１】
ステップＳ１０６の後、サーバ３０は、データベースの更新を実行する（Ｓ３０４）。
具体的には、サーバ３０の記録部３２０は、ログ更新リクエストデータに含まれるプリンタシリアルコードに関連付けられたプリンタ情報データベース（図９）において、ＲＦＩＤ通信の種類に対応するログ情報が格納されたフィールド（「読出ログ」フィールド又は「書込ログ」フィールド）を、以下のとおり更新する。
・「サプライシリアル」フィールドには、ステップＳ３００で特定したサプライシリアル情報が格納される。
・「読出回数」フィールド又は「書込回数」フィールドには、ログ更新リクエストデータに含まれるＲＦＩＤタグＲＴの数が加算される。
【００８２】
このように、サーバ３０は、プリンタ１０及びＲＦＩＤタグＲＴの組合せに応じた通信パラメータをプリンタ１０に送信する（Ｓ３０３）。プリンタ１０は、キャリブレーションを実行せずに、サーバ３０から送信された通信パラメータを記憶装置１１に記録する（Ｓ１０５）。
これにより、ＲＦＩＤ通信において、適切な通信パラメータの設定を容易に実現することができる。
【００８３】
また、サーバ３０は、プリンタ１０から取得したタグＩＤに関連付けられたサプライ属性情報をプリンタ１０に送信する。プリンタ１０は、サーバ３０から送信されたサプライ属性情報を表示する。これにより、ユーザが使用するＲＦＩＤタグを含む印字媒体Ｐの属性をユーザに提示することができる。
【００８４】
また、サーバ３０は、プリンタ１０から取得したタグＩＤと、サプライマスタデータベース（図８）に記録されたタグＩＤとを照合する。これにより、ユーザが使用するＲＦＩＤタグＲＴが真正品か否かを判定することができる。
【００８５】
（４−２）エラー登録処理
本実施形態のエラー登録処理について説明する。図１３は、本実施形態のエラー登録処理のシーケンス図である。図１４は、図１３の処理において表示される画面例を示す図である。
【００８６】
図１１のステップＳ１０５においてエラーが発生すると、プリンタ１０は、エラー画面表示を実行する（Ｓ１１０）。
具体的には、プロセッサ１２は、画面Ｐ１１０（図１４）をディスプレイに表示する。
【００８７】
図１４に示すように、画面Ｐ１１０は、表示オブジェクトＡ１１０と、ボタンオブジェクトＢ１１０ａ〜Ｂ１１０ｂと、を含む。
表示オブジェクトＡ１１０には、ステップＳ１０５で発生したエラーを識別するエラーコードと、ＲＦＩＤ通信（Ｓ１０５）の対象となったＲＦＩＤタグＲＴのタグＩＤと、エラー発生日時と、が表示される。
ボタンオブジェクトＢ１０２ａは、エラー登録処理を開始するためのユーザ指示を受け付けるオブジェクトである。
ボタンオブジェクトＢ１０２ｂは、エラー登録処理を中止するためのユーザ指示を受け付けるオブジェクトである。
【００８８】
ステップＳ１１０の後、プリンタ１０は、ログ更新リクエストを実行する（Ｓ１１１）。
具体的には、ユーザがボタンオブジェクトＢ１１０ａを操作すると、プロセッサ１２は、ログ更新リクエストデータをサーバ３０に送信する。
ログ更新リクエストデータは、以下を含む。
・プリンタ１０のプリンタシリアルコード
・ステップＳ１０５で発生したエラーのエラーコード
・ステップＳ１０５でエラーが発生したときに使用されていたＲＦＩＤタグＲＴのタグＩＤ
・ステップＳ１０５で発生したエラーのエラー発生日時に関する情報
【００８９】
ステップＳ１１１の後、サーバ３０は、データベースの更新を実行する（Ｓ３１０）。
具体的には、サーバ３０の特定部３２２は、サプライマスタデータベース（図８）を参照して、ログ更新リクエストデータに含まれるタグＩＤに関連付けられた「サプライシリアル」フィールドのサプライシリアル情報を特定する。
サーバ３０の記録部３２０は、ログ更新リクエストデータに含まれるプリンタシリアルコードに関連付けられたプリンタ情報データベース（図９）を参照して、以下のとおり更新する。
・「エラー発生日時」フィールドに、ログ更新リクエストデータに含まれるエラー発生日時に関する情報が格納される。
・「サプライシリアル」フィールドに、特定したサプライシリアル情報が格納される。
・「エラーコード」フィールドに、ログ更新リクエストデータに含まれるエラーコードが格納される。
【００９０】
（５）変形例
本実施形態の変形例について説明する。
【００９１】
（５−１）変形例１
本実施形態の変形例１について説明する。変形例１は、プリンタ１０、ＲＦＩＤタグＲＴ、及び、ユーザの属性の組合せに応じた通信パラメータをプリンタ１０に送信するサーバ３０の例である。
【００９２】
変形例１のデータベースについて説明する。図１５は、変形例１のプリンタマスタデータベースのデータ構造を示す図である。
【００９３】
図１５のプリンタマスタデータベースは、「ユーザ属性」フィールドを含む点において、図７のプリンタマスタデータベースと異なる。
「ユーザ属性」フィールドには、ユーザの属性に関するユーザ属性情報が格納される。「ユーザ属性」フィールドは、「業種」フィールドと、「使用場所」フィールドと、を含む。
「業種」フィールドには、ユーザの業種に関する情報が格納される。
「使用場所」フィールドには、プリンタ１０の使用場所に関する情報が格納される。
【００９４】
ＲＦＩＤ通信は、ユーザの使用条件（例えば、ＲＦＩＤタグＲＴの用途、又は、プリンタ１０を使用する環境（一例として、プリンタ１０を使用する場所の温度））の影響を受ける。変形例１によれば、記憶装置３１に、プリンタ機種ＩＤ、サプライＩＤ、及び、ユーザ属性情報の組合せ毎に通信パラメータが記録されるので、プリンタ機種、印字媒体Ｐの種類、及び、ユーザ属性の組合せに応じた通信パラメータをプリンタ１０に提供することができる。これにより、ＲＦＩＤ通信において、ユーザの使用条件の影響を低減することができる。
【００９５】
変形例１の記憶装置１１には、プリンタ１０のユーザの属性に関するユーザ属性情報が記録されている。ユーザ属性情報は、ユーザが任意に設定した情報である。
【００９６】
プリンタ１０の第２取得部１２１は、ステップＳ１０１（図１１）において、記憶装置１１に記録されたユーザ属性情報を取得する。
【００９７】
プリンタ１０の第２送信部１２０は、ステップＳ１０２において、パラメータリクエストデータをサーバ３０に送信する。
パラメータリクエストデータは、以下の情報を含む。
・ステップＳ１０１でプリンタ１０の第２取得部１２１により取得されたプリンタシリアルコード
・ステップＳ１０１でプリンタ１０の第２取得部１２１により取得されたタグＩＤ
・ステップＳ１０１でプリンタ１０の第２取得部１２１により取得されたユーザ属性情報
【００９８】
サーバ３０の特定部３２２は、ステップＳ３０２において、プリンタマスタデータベース（図１５）を参照して、対象プリンタレコードを特定した後、対象プリンタレコードの「ユーザ属性」フィールドに格納されたユーザ属性情報を特定する。
サーバ３０の特定部３２２は、対象プリンタレコードにおいて、当該ユーザ属性情報に関連付けられた通信パラメータを特定する。
【００９９】
変形例１によれば、ユーザの属性に応じて最適化された通信パラメータを用いてＲＦＩＤ通信が実行される。これにより、ユーザの事情（例えば、使用場所）に適合した通信パラメータの設定を容易に実現することができる。
【０１００】
（５−２）変形例２
本実施形態の変形例２について説明する。変形例２は、プリンタ１０、ＲＦＩＤタグＲＴ、及び、プリンタの構成の組合せに応じた通信パラメータをプリンタ１０に送信するサーバ３０の例である。
【０１０１】
（５−２−１）プリンタマスタデータベース
変形例２のプリンタマスタデータベースについて説明する。図１６は、変形例２のプリンタマスタデータベースのデータ構造を示す図である。
【０１０２】
図１６のプリンタマスタデータベースは、「オプション構成」フィールドを含む点において、図７のプリンタマスタデータベースと異なる。
【０１０３】
「オプション構成」フィールドには、プリンタ１０のオプション構成に関するオプション構成情報が格納される。「オプション構成」フィールドは、「カッタユニットＩＤ」フールドと、「剥離ユニットＩＤ」フィールドと、「無線通信ユニットＩＤ」フィールドと、を含む。
「カッタユニットＩＤ」フィールドには、プリンタ１０に取り付けられたカッタユニット１５５を識別するカッタユニットＩＤが格納される。
「剥離ユニットＩＤ」フィールドには、プリンタ１０に取り付けられた剥離ユニット１５４を識別する剥離ユニットＩＤが格納される。
「無線通信ユニットＩＤ」フィールドには、プリンタ１０に取り付けられた無線通信ユニット１５３を識別する無線通信ユニットＩＤが格納される。
「通信パラメータ」フィールドの各サブフィールド（「搬送距離」フィールド、「通信搬送速度」フィールド、及び、「電磁波レベル」フィールド）は、「オプション構成」フィールドの各サブフィールド（「カッタユニットＩＤ」フィールド、「剥離ユニットＩＤ」フィールド、及び、「無線通信ユニットＩＤ」フィールド）に関連付けられている。
「通信パラメータ」フィールドの各サブフィールドには、プリンタ１０の構成に応じて最適化された通信パラメータが格納される。
【０１０４】
ＲＦＩＤ通信は、プリンタ１０のオプション構成（例えば、剥離ユニット１５４）の影響（例えば、剥離ユニット１５４の金属部分等の導電部材による影響）を受ける。変形例２によれば、記憶装置３１に、プリンタ機種ＩＤ、サプライＩＤ、及び、オプション構成情報の組合せ毎に通信パラメータが記録されるので、プリンタ機種、印字媒体Ｐの種類、及び、オプション構成の組合せに応じた通信パラメータをプリンタ１０に提供することができる。これにより、ＲＦＩＤ通信において、オプション構成の影響を低減することができる。
【０１０５】
（５−２−２）情報処理
変形例２の情報処理について説明する。
【０１０６】
（５−２−２−１）オプション設定処理
変形例２のオプション設定処理について説明する。図１７は、変形例２のオプション設定処理のシーケンス図である。図１８は、図１７の処理において表示される画面例を示す図である。
図１７に示すように、プリンタ１０は、オプション設定の受付を実行する（Ｓ１２０）。
具体的には、プロセッサ１２は、画面Ｐ１２０（図１８）をディスプレイに表示する。
【０１０７】
図１８に示すように、画面Ｐ１２０は、ボタンオブジェクトＢ１２０と、入力フィールドオブジェクトＦ１２０と、を含む。
入力フィールドオブジェクトＦ１２０は、オプション構成に関するオプション構成情報（カッタユニット１５５のカッタユニットＩＤ、剥離ユニット１５４の剥離ユニットＩＤ、及び、無線通信ユニット１５３の無線通信ユニットＩＤ）を受け付けるオブジェクトである。
ボタンオブジェクトＢ１２０は、オプションパラメータリクエスト（Ｓ１２１）を開始するためのユーザ指示を受け付けるオブジェクトである。
【０１０８】
ステップＳ１２０の後、プリンタ１０は、オプションパラメータリクエストを実行する（Ｓ１２１）。
具体的には、ユーザが図１８の入力フィールドオブジェクトＦ１２０にオプション構成情報を入力し、且つ、ボタンオブジェクトＢ１２０を操作すると、プロセッサ１２は、オプションパラメータリクエストデータをサーバ３０に送信する。
オプションパラメータリクエストデータは、以下を含む。
・プリンタ１０のプリンタシリアルコード
・入力フィールドオブジェクトＦ１２０に入力されたオプション構成情報
【０１０９】
ステップＳ１２１の後、サーバ３０は、データベースの更新を実行する（Ｓ３２０）。
具体的には、サーバ３０の記録部３２０は、オプションパラメータリクエストデータに含まれるプリンタシリアルコードに関連付けられたプリンタ情報データベース（図９）を参照して、「オプション構成」フィールドの各サブフィールドに、オプションパラメータリクエストデータに含まれるオプション構成情報（カッタユニット１５５のカッタユニットＩＤ、剥離ユニット１５４の剥離ユニットＩＤ、及び、無線通信ユニット１５３の無線通信ユニットＩＤ）を格納する。
【０１１０】
（５−２−２−２）書込処理
変形例２の書込処理について説明する。
【０１１１】
変形例２のサーバ３０は、ステップＳ３０２（図１１）において、パラメータリクエストデータに含まれるプリンタシリアルコードに関連付けられた「オプション構成」フィールドの情報（つまり、プリンタ１０に取り付けられたオプション構成に関するオプション構成情報）を特定する。
サーバ３０は、プリンタマスタデータベース（図１６）の対象プリンタレコードを特定した後、特定した対象プリンタレコードにおいて、オプション構成情報に関連付けられた通信パラメータを特定する。
【０１１２】
変形例２によれば、プリンタ１０の構成に応じて最適化された通信パラメータを用いてＲＦＩＤ通信が実行される。これにより、ＲＦＩＤ通信のエラー発生確率を低減することができる。
【０１１３】
（５−３）変形例３
本実施形態の変形例３について説明する。変形例３は、ＲＦＩＤタグＲＴの使用頻度に応じて、ＲＦＩＤタグＲＴを含む印字媒体Ｐの発注を促す例である。
【０１１４】
変形例３のサーバ３０は、プリンタ情報データベース（図９）の「読出回数」フィールド及び「書込回数」フィールドの情報に基づいて、各サプライＩＤの通信回数を計算する。
サーバ３０は、計算した通信回数に基づいて、各サプライＩＤによって識別されるＲＦＩＤタグＲＴの残量を計算する。
サーバ３０は、計算した残量が所定値以下である場合、所定の連絡先（例えば、「コンタクト」フィールドの情報によって特定される連絡先）に、ＲＦＩＤタグＲＴの購入を促す購入促進情報を送信する。
【０１１５】
変形例３によれば、サーバ３０が、ＲＦＩＤタグＲＴ毎の残量を管理し、且つ、残量が少なくなった場合に購入促進情報を所定の連絡先に送信する。これにより、ユーザに対して、適切なタイミングでＲＦＩＤタグＲＴの購入を促すことができる。
【０１１６】
（５−４）変形例４
本実施形態の変形例４について説明する。変形例４は、ユーザ識別情報及びタグ識別情報の組合せに基づいて、プリンタ１０に送信すべき通信パラメータを特定するサーバ３０の例である。
変形例４の記憶装置１１には、予め、プリンタ１０を使用するユーザのユーザＩＤが格納されている。
プリンタ情報データベース（図９）には、１つのプリンタシリアル情報が格納されている（つまり、１人のユーザは、１台のみのプリンタ１０を使用する）。換言すると、プリンタ情報データベースのレコード数は、１レコードである。
【０１１７】
プリンタ１０の第２取得部１２１は、ステップＳ１０１（図１１）において、記憶装置１１に記録されたユーザＩＤを取得する。
【０１１８】
プリンタ１０の第２送信部１２０は、ステップＳ１０２において、パラメータリクエストデータをサーバ３０に送信する。
パラメータリクエストデータは、以下の情報を含む。
・ステップＳ１０１でプリンタ１０の第２取得部１２１により取得されたユーザＩＤ
・ステップＳ１０１で取得されたタグＩＤ
【０１１９】
サーバ３０の特定部３２２は、ステップＳ３０２において、パラメータリクエストデータに含まれるユーザＩＤに関連付けられたプリンタ情報データベース（図９）を参照して、プリンタ１０のプリンタシリアルコードを特定する。
サーバ３０の特定部３２２は、プリンタマスタデータベース（図７）を参照して、特定したプリンタシリアルコードに関連付けられた対象プリンタレコードを特定する。
以降の処理は、本実施形態（図１１）と同様である。
変形例４によれば、プリンタ１０からサーバ３０に対して、プリンタ識別情報に代えてユーザ識別情報を送信する場合であっても、本実施形態と同様の効果が得られる。
【０１２０】
（５−５）変形例５
本実施形態の変形例５について説明する。変形例５は、プリンタシリアルコードと、タグＩＤと、に関連付けられた通信パラメータをプリンタ１０に送信するサーバ３０の例である。
【０１２１】
（５−５−１）プリンタマスタデータベース
変形例５のプリンタマスタデータベースについて説明する。図１９は、変形例５のプリンタマスタデータベースのデータ構造を示す図である。
【０１２２】
図１９のプリンタマスタデータベースは、「サプライＩＤ」フィールド（図７）に代えて、「タグＩＤ」フィールドを含む点において、図７のプリンタマスタデータベースと異なる。
「タグＩＤ」フィールドには、タグＩＤが格納される。
【０１２３】
（５−５−２）ＲＦＩＤ通信処理
変形例５のＲＦＩＤ通信処理について説明する。
サーバ３０の特定部３２２は、ステップＳ３０２（図１１）において、プリンタマスタデータベース（図７）を参照して、パラメータリクエストデータに含まれるプリンタシリアルコード及びタグＩＤに関連付けられた「通信パラメータ」フィールドを特定する。
ステップＳ３０２は、ＲＦＩＤタグとのＲＦＩＤ通信の度に実行してもよい。
以降の処理は、本実施形態（図１１）と同様である。
【０１２４】
変形例５によれば、サーバ３０がサプライＩＤを管理していない場合であっても、ＲＦＩＤ通信において、適切な通信パラメータの設定を容易に実現することができる。
【０１２５】
（６）その他の変形例
【０１２６】
記憶装置１１は、ネットワークＮＷを介して、プリンタ１０と接続されてもよい。記憶装置３１は、ネットワークＮＷを介して、サーバ３０と接続されてもよい。
【０１２７】
本実施形態では、プリンタマスタデータベース（図７）において、通信パラメータ及び印字パラメータがサプライＩＤに関連付けられる例を示した。しかし、通信パラメータ及び印字パラメータは、タグＩＤに関連付けられてもよい。
【０１２８】
以上、本発明の実施形態について詳細に説明したが、本発明の範囲は上記の実施形態に限定されない。また、上記の実施形態は、本発明の主旨を逸脱しない範囲において、種々の改良や変更が可能である。また、上記の実施形態及び変形例は、組合せ可能である。また、本発明には、プログラムが記録されたコンピュータ読み取り可能な記録媒体（不揮発性のものも含む。）も含まれる。
【符号の説明】
【０１２９】
１          ：情報処理システム
１０        ：プリンタ
１１        ：記憶装置
１２        ：プロセッサ
１２０      ：第２送信部
１２１      ：第２取得部
１２２      ：通信制御部
１３        ：入出力インタフェース
１４        ：通信インタフェース
１５        ：駆動回路
１６        ：収容部
３０        ：サーバ
３１        ：記憶装置
３２        ：プロセッサ
３２０      ：記録部
３２１      ：第１取得部
３２２      ：特定部
３２３      ：第１送信部
３３        ：入出力インタフェース
３４        ：通信インタフェース
１５０      ：プラテンローラ
１５１      ：サーマルヘッド
１５２      ：リーダライタ
１５３      ：無線通信ユニット
１５４      ：剥離ユニット
１５５      ：カッタユニット
【図１】
2019130631.tif 000003
【図２】
2019130631.tif 000004
【図３】
2019130631.tif 000005
【図４】
2019130631.tif 000006
【図５】
2019130631.tif 000007
【図６】
2019130631.tif 000008
【図７】
2019130631.tif 000009
【図８】
2019130631.tif 000010
【図９】
2019130631.tif 000011
【図１０】
2019130631.tif 000012
【図１１】
2019130631.tif 000013
【図１２】
2019130631.tif 000014
【図１３】
2019130631.tif 000015
【図１４】
2019130631.tif 000016
【図１５】
2019130631.tif 000017
【図１６】
2019130631.tif 000018
【図１７】
2019130631.tif 000019
【図１８】
2019130631.tif 000020
【図１９】
2019130631.tif 000021
【手続補正書】
【提出日】令和1年10月9日(2019.10.9)
【手続補正１】
【補正対象書類名】特許請求の範囲
【補正対象項目名】全文
【補正方法】変更
【補正の内容】
【特許請求の範囲】
【請求項１】
ＲＦＩＤ（Radio Frequency IDentification）タグとＲＦＩＤ通信を実行する一又は複数のプリンタと接続可能なサーバであって、
前記プリンタを識別するプリンタ識別情報と、ＲＦＩＤタグを識別するタグ識別情報と、前記プリンタがＲＦＩＤ通信を実行するための通信パラメータとを関連付けて記憶装置に記録する記録部と、
前記プリンタから、前記プリンタ識別情報と、前記プリンタにより読み取られたタグ識別情報とを取得する第１取得部と、
前記第１取得部により取得されたプリンタ識別情報とタグ識別情報とに関連付けられた通信パラメータを特定する特定部と、
前記特定部により特定された通信パラメータを前記プリンタに送信する第１送信部と、を備える、
サーバ。
【請求項２】
ＲＦＩＤ（Radio Frequency IDentification）タグとＲＦＩＤ通信を実行する一又は複数のプリンタと接続可能なサーバであって、
前記プリンタを識別するプリンタ識別情報と、複数のＲＦＩＤタグを含む印字媒体を識別する印字媒体識別情報と、前記プリンタがＲＦＩＤ通信を実行するための通信パラメータとを関連付けて記憶装置に記録する記録部と、
前記プリンタからプリンタ識別情報と、前記プリンタにより読み取られたタグ識別情報とを取得する第１取得部と、
前記第１取得部により取得されたタグ識別情報に関連付けられた印字媒体識別情報を特定し、且つ、特定した印字媒体識別情報と、前記第１取得部により取得されたプリンタ識別情報とに関連付けられた通信パラメータを特定する特定部と、
前記特定部により特定された通信パラメータを前記プリンタに送信する第１送信部と、を備える、
サーバ。
【請求項３】
前記記録部は、
前記タグ識別情報と、前記印字媒体識別情報とを関連付けて前記記憶装置に記録し、
前記特定部は、
前記第１取得部により取得されたタグ識別情報と、前記記憶装置に記録されたタグ識別情報とを照合して、前記印字媒体識別情報を特定する、
請求項２に記載のサーバ。
【請求項４】
前記特定部は、
特定した印字媒体識別情報及び前記第１取得部により取得されたプリンタ識別情報と、前記記憶装置に記録された前記印字媒体識別情報及び前記プリンタ識別情報とを照合して、前記通信パラメータを特定する、
請求項３に記載のサーバ。
【請求項５】
前記記録部は、
前記プリンタを使用するユーザの属性に関するユーザ属性情報と、前記プリンタ識別情報と、前記印字媒体識別情報と、前記通信パラメータとを関連付けて前記記憶装置に記録し、
前記第１取得部は、
前記プリンタから、前記プリンタ識別情報、前記タグ識別情報、及び前記ユーザ属性情報を取得し、
前記特定部は、
前記特定した印字媒体識別情報と、前記第１取得部により取得されたプリンタ識別情報及びユーザ属性情報と、に関連付けられた通信パラメータを特定する、
請求項２〜４のいずれか一項に記載のサーバ。
【請求項６】
前記記録部は、
前記印字媒体識別情報と、前記ＲＦＩＤタグが含まれる印字媒体の属性に関する印字媒体属性情報とを関連付けて前記記憶装置に記録し、
前記特定部は、
前記第１取得部により取得された印字媒体識別情報に関連付けられた印字媒体属性情報を特定し、
前記第１送信部は、
前記特定部により特定された印字媒体属性情報を前記プリンタに送信する、
請求項２乃至５のいずれか一項に記載のサーバ。
【請求項７】
前記印字媒体属性情報は、前記ＲＦＩＤタグが含まれるラベルの種類、前記ＲＦＩＤタグのＩＣチップの種類、前記ＲＦＩＤタグのインレイの種類、及び前記ＲＦＩＤタグの用途のうち少なくとも一つを含む、
請求項６に記載のサーバ。
【請求項８】
前記記録部は、
前記プリンタ識別情報と、前記印字媒体識別情報と、プリンタに取り付けられた構成に関するオプション構成情報と、前記通信パラメータとを関連付けて前記記憶装置に記録し、
前記特定部は、
前記第１取得部により取得されたプリンタ識別情報に関連付けられたオプション構成情報を特定し、
前記第１取得部により取得されたプリンタ識別情報と、特定したオプション構成情報と、に関連付けられた通信パラメータを特定する、
請求項２乃至７のいずれか一項に記載のサーバ。
【請求項９】
前記第１取得部により取得されたタグ識別情報と、前記記憶装置に記録されたタグ識別情報とを照合することにより、前記ＲＦＩＤタグの真贋を判定する判定部をさらに備える、
請求項１乃至８のいずれか一項に記載のサーバ。
【請求項１０】
請求項１乃至９のいずれか一項に記載のサーバと接続可能なプリンタであって、
前記プリンタに割り当てられたプリンタ識別情報と、前記ＲＦＩＤ通信の対象となるＲＦＩＤタグのタグ識別情報とを取得する第２取得部と、
前記第２取得部により取得されたプリンタ識別情報及びタグ識別情報を前記サーバに送信する第２送信部と、
前記サーバによって送信された通信パラメータに基づき、前記ＲＦＩＤタグとのＲＦＩＤ通信を実行する通信制御部とを備える、
プリンタ。
【請求項１１】
ＲＦＩＤ（Radio Frequency IDentification）タグとＲＦＩＤ通信を実行する一又は複数のプリンタと接続可能なサーバにおいて、コンピュータに実行されるプログラムであって、
前記プリンタを識別するプリンタ識別情報と、ＲＦＩＤタグを識別するタグ識別情報と、前記プリンタがＲＦＩＤ通信を実行するための通信パラメータとを関連付けて記憶装置に記録するステップ、
前記プリンタから、前記プリンタ識別情報と、前記プリンタにより読み取られたタグ識別情報とを取得するステップ、および、
前記取得されたプリンタ識別情報とタグ識別情報とに関連付けられた通信パラメータを特定し、
前記特定された通信パラメータを前記プリンタに送信するステップ、
を前記コンピュータに実行させるためのプログラム。
【請求項１２】
サーバと通信可能であり、ＲＦＩＤ（Radio Frequency IDentification）タグとＲＦＩＤ通信を実行するプリンタにおいて、コンピュータに実行されるプログラムであって、
前記プリンタに割り当てられたプリンタ識別情報と、前記ＲＦＩＤ通信の対象となるＲＦＩＤタグのタグ識別情報とを取得するステップ、
前記取得されたプリンタ識別情報及びタグ識別情報を前記サーバに送信するステップ、および、
前記サーバから受信した通信パラメータに基づき、前記ＲＦＩＤタグとのＲＦＩＤ通信を実行するステップ、
を前記コンピュータに実行させるためのプログラム。
【手続補正２】
【補正対象書類名】明細書
【補正対象項目名】００５２
【補正方法】変更
【補正の内容】
【００５２】
「プリンタシリアル」フィールドには、１台のプリンタ１０に固有のプリンタシリアルコードが格納される。１つのプリンタ機種ＩＤによって識別される複数のプリンタ１０には、それぞれ、固有のプリンタシリアルコードが割り当てられる。
「プリンタ機種ＩＤ」フィールドには、プリンタシリアルコードが割り当てられたプリンタ１０のプリンタ機種ＩＤが格納される。
「オプション構成」フィールドには、プリンタ１０のオプション構成に関するオプション構成情報が格納される。「オプション構成」フィールドは、「カッタユニットＩＤ」フィールドと、「剥離ユニットＩＤ」フィールドと、「無線通信ユニットＩＤ」フィールドと、を含む。
「カッタユニットＩＤ」フィールドには、プリンタ１０に取り付けられたカッタユニット１５５を識別するカッタユニットＩＤが格納される。
「剥離ユニットＩＤ」フィールドには、プリンタ１０に取り付けられた剥離ユニット１５４を識別する剥離ユニットＩＤが格納される。
「無線通信ユニットＩＤ」フィールドには、プリンタ１０に取り付けられた無線通信ユニット１５３を識別する無線通信ユニットＩＤが格納される。
「読出ログ」フィールドには、読出通信のログ情報が格納される。「読出ログ」フィールドは、「サプライシリアル」フィールドと、「読出回数」フィールドと、を含む。
「サプライシリアル」フィールドには、読出通信の対象になったＲＦＩＤタグＲＴを含む印字媒体Ｐのサプライシリアル情報が格納される。
「読出回数」フィールドには、読出通信の実行回数に関する情報が格納される。
「書込ログ」フィールドには、書込通信のログ情報が格納される。「書込ログ」フィールドは、「サプライシリアル」フィールドと、「書込回数」フィールドと、を含む。
「サプライシリアル」フィールドには、書込通信の対象になったＲＦＩＤタグＲＴを含む印字媒体Ｐのサプライシリアル情報が格納される。
「書込回数」フィールドには、書込通信の実行回数に関する情報が格納される。
「エラー」フィールドには、ＲＦＩＤ通信のエラーに関するエラー情報が格納される。「エラー」フィールドは、「エラー発生日時」フィールドと、「サプライシリアル」フィールドと、「エラーコード」フィールドと、を含む。
「エラー発生日時」フィールドには、エラー発生日時に関する情報が格納される。
「サプライシリアル」フィールドには、エラーが発生したＲＦＩＤ通信において使用されていたＲＦＩＤタグＲＴを含む印字媒体Ｐのサプライシリアル情報が格納される。
「エラーコード」フィールドには、エラーの種類を示すエラーコードが格納される。
【手続補正３】
【補正対象書類名】明細書
【補正対象項目名】００８７
【補正方法】変更
【補正の内容】
【００８７】
図１４に示すように、画面Ｐ１１０は、表示オブジェクトＡ１１０と、ボタンオブジェクトＢ１１０ａ〜Ｂ１１０ｂと、を含む。
表示オブジェクトＡ１１０には、ステップＳ１０５で発生したエラーを識別するエラーコードと、ＲＦＩＤ通信（Ｓ１０５）の対象となったＲＦＩＤタグＲＴのタグＩＤと、エラー発生日時と、が表示される。
ボタンオブジェクトＢ１１０ａは、エラー登録処理を開始するためのユーザ指示を受け付けるオブジェクトである。
ボタンオブジェクトＢ１１０ｂは、エラー登録処理を中止するためのユーザ指示を受け付けるオブジェクトである。
【国際調査報告】
2019130631.tif 000022
2019130631.tif 000023
2019130631.tif 000024
2019130631.tif 000025